(57)【要約】【課題】真の暗証番号が第三者に取得されることを防止する携帯情報端末及び携帯情報端末の制御方法を提供すること。【解決手段】本発明にかかる携帯情報端末では、キー入力部１、制御部２及び音声出力部３を有する。キー入力部１のキーはユーザにより押下される。音声出力部３は、入力される信号を音声に変換する。制御部２は、押下されたキー応じてＤＴＭＦ音を選択し、選択したＤＴＭＦ音に対応する信号を音声出力部３に出力する。また、制御部２は、暗証番号の入力要求が無い場合には、押下されたキーに規格上関連付けられているＤＴＭＦ音を選択する。制御部２は、暗証番号の入力要求が有る場合には、押下されたキーに規格上関連付けられているＤＴＭＦ音とは異なるＤＴＭＦ音を選択する。【選択図】図１
2011234165.tif 000002
【特許請求の範囲】
【請求項１】
ユーザによりキーが押下されるキー入力部と、
入力される信号を音声に変換するトーン発生部と、
押下されたキー応じてＤＴＭＦ音を選択し、選択した前記ＤＴＭＦ音に対応する信号を前記トーン発生部に出力する制御部と、を備え、
前記制御部は、
暗証番号の入力要求が無い場合には、前記押下されたキーに規格上関連付けられているＤＴＭＦ音を選択し、
暗証番号の入力要求が有る場合には、前記押下されたキーに規格上関連付けられているＤＴＭＦ音とは異なるＤＴＭＦ音を選択する、
携帯情報端末。
【請求項２】
前記制御部は、
暗証番号の入力要求が有る場合には、前記押下されたキーに規格上関連付けられているＤＴＭＦ音とは異なるＤＴＭＦ音をランダムに選択することを特徴とする、
請求項１に記載の携帯情報端末。
【請求項３】
前記制御部は、
キー入力部のキーのそれぞれに規格上関連付けられているＤＴＭＦ音の情報が格納される記憶部を備えることを特徴とする、
請求項１又は２に記載の携帯情報端末。
【請求項４】
前記制御部は、
前記記憶部からＤＴＭＦ音を取得して、取得した前記ＤＴＭＦ音を前記押下されたキーに割り当てる処理部を更に備えることを特徴とする、
請求項３に記載の携帯情報端末。
【請求項５】
前記記憶部は、
当該携帯情報端末に対する暗証番号の入力要求の有無を示すフラグ情報がさらに格納され、
前記処理部は、前記フラグ情報に応じて、当該携帯情報端末に対する暗証番号の入力要求の有無を識別することを特徴とする、
請求項３又は４に記載の携帯情報端末。
【請求項６】
前記処理部は、
アプリケーションを制御するウインドウシステムを備え、
前記ウインドウシステムは、当該ウインドウシステムがフォーカスしているアプリケーションからの暗証番号の入力要求の有無に応じて、前記フラグ情報を設定することを特徴とする、
請求項５に記載の携帯情報端末。
【請求項７】
前記ウインドウシステムは、
前記フォーカスしているアプリケーションがＨＴＭＬにより記述されるＷｅｂブラウザアプリケーションである場合には、ＨＴＭＬにおける暗証番号の入力要求を示す構文の有無に応じて、前記フラグ情報を設定することを特徴とする、
請求項６に記載の携帯情報端末。
【請求項８】
ユーザにより押下されたキーを認識するステップと、
暗証番号の入力要求の有無を認識するステップと、
押下されたキー応じてＤＴＭＦ音を選択するステップと、
割り当てられた前記ＤＴＭＦ音を音声出力するステップと、を備え、
暗証番号の入力要求が無い場合には、前記押下されたキーに規格上関連付けられているＤＴＭＦ音を音声出力し、
暗証番号の入力要求が有る場合には、前記押下されたキーに規格上関連付けられているＤＴＭＦ音とは異なるＤＴＭＦ音を音声出力する、
携帯情報端末の制御方法。
【発明の詳細な説明】
【技術分野】
【０００１】
本発明は、暗証番号漏洩防止機能を有する携帯情報端末及び携帯情報端末の制御方法に関する。
【背景技術】
【０００２】
携帯電話をはじめとする携帯情報端末の高機能化により、携帯情報端末の本体内に保存されるメールや個人情報等の秘密情報の大容量化が進んでいる。そのため、これらの秘密情報を、暗証番号により管理する必要性が高まっている。近年では、インターネットアクセスによるＷｅｂサービスを通じて、銀行取引などの重要な取引を行うことが可能となっている。このような取引においては、特に暗証番号が必要である。
【０００３】
例えば携帯電話は、電話機の延長として登場したものであることから、パーソナルコンピュータとは異なり、ＤＴＭＦ（Dual Tone Multiple Frequency）音などのキー確認音が音声出力される仕様のものが多い。さらに、小型な携帯電話では、キーのストロークが確保しづらいので、利便性のためのキー確認音が必要とされている。
【０００４】
携帯情報端末による通信される情報そのものは、ＣＤＭＡ（Code Division Multiple Access）などのスペクトル拡散方式により、ほぼ傍受される危険性は無い。しかし、キー確認音がＤＴＭＦ音である場合には、ＤＴＭＦ音を傍受することにより、押下されたキーを特定することが可能である。具体的には、数字、「＊」及び「＃」のキーについては、音声出力されるＤＴＭＦ音が決まっているので、ＤＴＭＦ音を傍受することにより、数字、「＊」及び「＃」のいずれのキーが押下されたかを容易に知ることができる。このため、暗証番号を入力した際のＤＴＭＦ音を傍受され、暗証番号が漏洩する危険性が有る。
【０００５】
この危険性を回避する対策手段として、暗証番号の入力要求を受けた場合に、ＤＴＭＦ音の音声出力を停止する携帯電話装置が提案されている（特許文献１）。この携帯電話装置は、暗証番号の入力要求を受けた場合に、ＤＴＭＦ音に換えて、別のキー確認音を音声出力することも可能である。
【先行技術文献】
【特許文献】
【０００６】
【特許文献１】特開２００１−３０８９８６号公報
【発明の概要】
【発明が解決しようとする課題】
【０００７】
上述のように、特許文献１にかかる携帯電話装置では、暗証番号の入力要求を受けた場合のＤＴＭＦ音の音声出力が停止されてしまう。これにより、ＤＴＭＦ音の傍受により暗証番号を取得しようとする第三者は、ＤＴＭＦ音の音声出力停止により、暗証番号漏洩防止機能が働いていることを知ることができる。そのため、暗証番号を取得しようとする第三者は、別の方法を用いて暗証番号を取得しようとする可能性が考え得る。
【０００８】
本発明は、上記に鑑みて為されたものであり、本発明の目的は、真の暗証番号が第三者に取得されることを防止する携帯情報端末及び携帯情報端末の制御方法を提供することにある。
【課題を解決するための手段】
【０００９】
本発明の一態様である携帯情報端末は、ユーザによりキーが押下されるキー入力部と、入力される信号を音声に変換するトーン発生部と、押下されたキー応じてＤＴＭＦ音を選択し、選択した前記ＤＴＭＦ音に対応する信号を前記トーン発生部に出力する制御部と、を備え、前記制御部は、暗証番号の入力要求が無い場合には、前記押下されたキーに規格上関連付けられているＤＴＭＦ音を選択し、暗証番号の入力要求が有る場合には、前記押下されたキーに規格上関連付けられているＤＴＭＦ音とは異なるＤＴＭＦ音を選択するものである。
【００１０】
本発明の一態様である携帯情報端末の制御方法は、ユーザにより押下されたキーを認識するステップと、暗証番号の入力要求の有無を認識するステップと、押下されたキー応じてＤＴＭＦ音を選択するステップと、割り当てられた前記ＤＴＭＦ音を音声出力するステップと、を備え、暗証番号の入力要求が無い場合には、前記押下されたキーに規格上関連付けられているＤＴＭＦ音を音声出力し、暗証番号の入力要求が有る場合には、前記押下されたキーに規格上関連付けられているＤＴＭＦ音とは異なるＤＴＭＦ音を音声出力するものである。
【発明の効果】
【００１１】
本発明によれば、真の暗証番号が第三者に取得されることを防止する携帯情報端末及び携帯情報端末の制御方法を提供することができる。
【図面の簡単な説明】
【００１２】
【図１】実施の形態１にかかる携帯情報端末１００の構成図である。
【図２】暗証番号入力要求が無い場合における携帯情報端末１００の動作を示すシーケンス図である。
【図３】暗証番号入力要求が有る場合における携帯情報端末１００の動作を示すシーケンス図である。
【図４】携帯情報端末１００においてＷｅｂブラウザがフォーカスされている場合の制御部２及び記憶部２２の構成図である。
【図５】携帯情報端末１００において電話帳アプリがフォーカスされている場合の制御部２及び記憶部２２の構成図である。
【図６】携帯情報端末１００におけるＷｅｂブラウザ４２ａの表示画面及び表示画面のソースであるＨＴＭＬファイルに含まれるＨＴＭＬタグの一部と表す図である。
【発明を実施するための形態】
【００１３】
実施の形態１
以下、図面を参照して本発明の実施の形態について説明する。図１は、実施の形態１にかかる携帯情報端末１００の構成図である。図１に示すように、携帯情報端末１００は、キー入力部１、制御部２及び音声出力部３により構成される。携帯情報端末１００は、例えば携帯電話が該当する。
【００１４】
キー入力部１は、ユーザがキーを押下することにより、携帯情報端末１００に情報を入力する手段である。キー入力部１は、通常、ｍ×ｎ（ｍ、ｎは整数）のマトリックス状にキーが配置され、数字、「＊」及び「＃」などのキーが配置される。
【００１５】
制御部２は、プログラム制御により、携帯情報端末１００の動作を制御する。制御部２は、例えば処理部として機能するＣＰＵ（Central Processing Unit：中央処理装置）２１と、記憶部２２と、により構成される。
【００１６】
記憶部２２は、第１のキー確認音テーブル２２１、第２のキー確認音テーブル２２２及びフラグ２２３が格納されている。第１のキー確認音テーブル２２１には、ユーザが押下したキーに対して、規格（ＩＴＵ−Ｔ勧告Ｑ．２４など）上関連付けられているＤＴＭＦ音が格納されている。第２のキー確認音テーブル２２２には、ユーザが押下したキーに対して規格上関連付けられているＤＴＭＦ音とは異なるＤＴＭＦ音が格納されている。フラグ２２３は、携帯情報端末の１００の動作状態（暗証番号の入力要求の有無）が設定される。記憶部２２は、例えばＲＡＭ（Random Access Memory：ランダムアクセスメモリ）により構成される。
【００１７】
音声出力部３は、トーン発生部３１及びスピーカ３２により構成される。トーン発生部３１は、制御部２から出力される信号に応じて、スピーカ３２を介して、ＤＴＭＦ音を音声出力する。
【００１８】
次に、携帯情報端末１００の動作について説明する。携帯情報端末１００は、暗証番号の入力要求の有無に応じて、動作が異なる。暗証番号の入力要求が無い場合には、暗証番号の入力要求が無いことを示す値「０」が、フラグ２２３として設定されている。一方、暗証番号の入力要求が有る場合には、暗証番号の入力要求が有ることを示す値「１」が、フラグ２２３として設定されている。
【００１９】
まず、暗証番号入力要求が無い場合における携帯情報端末１００の動作について説明する。図２は、暗証番号入力要求が無い場合における携帯情報端末１００の動作を示すシーケンス図である。キー入力部１は、図２に示すように、ユーザがキー入力部１のキーを押下したことを、割り込み信号によりＣＰＵ２１へ通知する（手順Ｐ１１）。
【００２０】
ＣＰＵ２１は、割り込み信号を受け付けた後、キー入力部１にアクセスし、キーのマトリックススキャンを行う（手順Ｐ１２）。これにより、ユーザが押下したキーが確定される。
【００２１】
次に、ＣＰＵ２１は、フラグ２２３を確認する（手順Ｐ１３）。フラグ２２３の値は、予め「０」が設定されている。よって、ＣＰＵ２１は、携帯情報端末１００に対する暗証番号入力要求は無いと認識する。
【００２２】
次に、ＣＰＵ２１は、確定した押下キーに対して規格上関連付けられているＤＴＭＦ音（第１のＤＴＭＦ音）を、第１のキー確認音テーブル２２１から取得する（手順Ｐ１４）。
【００２３】
次に、ＣＰＵ２１は、第１のＤＴＭＦ音に対応する信号Ｄ１を、トーン発生部３１に出力する（手順Ｐ１５）。トーン発生部３１は、スピーカ３２から、第１のＤＴＭＦ音を音声出力する。
【００２４】
これにより、携帯情報端末１００のユーザは、自己が押下したキーに対応するＤＴＭＦ音を聴取することが可能である。
【００２５】
続いて、暗証番号入力要求が有る場合における携帯情報端末１００の動作について説明する。図３は、暗証番号入力要求が有る場合における携帯情報端末１００の動作を示すシーケンス図である。図３に示すように、キー入力部１がキー入力を受け付けると、図２と同様に、ＣＰＵ２１により、ユーザが押下したキーが確定される（手順Ｐ１１及び手順Ｐ１２）。
【００２６】
次に、ＣＰＵ２１は、フラグ２２３を確認する（手順Ｐ１３）。フラグ２２３の値は、予め「１」が設定されている。よって、ＣＰＵ２１は、携帯情報端末１００に対する暗証番号入力要求が有ると認識する。
【００２７】
次に、ＣＰＵ２１は、第１のＤＴＭＦ音とは異なるＤＴＭＦ音（第２のＤＴＭＦ音）を、キー確認音テーブル２２２から取得する（手順Ｐ２４）。
【００２８】
次に、ＣＰＵ２１は、第２のＤＴＭＦ音に対応する信号Ｄ２を、トーン発生部３１に出力する（手順Ｐ２５）。トーン発生部３１は、スピーカ３２から、第２のＤＴＭＦ音を音声出力する。
【００２９】
これにより、暗証番号の入力要求が有る場合には、ユーザが押下したキーに規格上関連付けられているＤＴＭＦ音とは異なるＤＴＭＦ音がスピーカから発せられる。これにより、ＤＴＭＦ音を傍受されることによる暗証番号の漏洩を防止することが可能である。
【００３０】
また、携帯情報端末１００によれば、暗証番号を取得しようとする第三者は、ユーザが押下したキーに対応していないＤＴＭＦ音を傍受する。その結果、暗証番号を取得しようとする第三者は、真の暗証番号とは異なる数字及び記号の配列を取得する。しかし、暗証番号を取得しようとする第三者は、取得した数字及び記号の配列が真の暗証番号であるか否かを、ＤＴＭＦ音の傍受の時点で識別することはできない。従って、意図的に真の暗証番号とは異なる数字及び記号の配列を第三者に取得させることにより、第三者が暗証番号を取得するための行為を停止させることができる。
【００３１】
実施の形態２
次に、実施の形態２にかかる携帯情報端末について説明する。実施の形態２では、携帯情報端末１００における、暗証番号の入力要求の有無を判別する機能について説明する。図４は、携帯情報端末１００において、Ｗｅｂブラウザがフォーカスされている場合の制御部２及び記憶部２２の構成図である。図５は、携帯情報端末１００において、電話帳アプリがフォーカスされている場合の制御部２及び記憶部２２の構成図である。図４及び図５に示すように、制御部２では、電話帳アプリ４１及びＷｅｂブラウザ４２の、２つのＧＵＩアプリケーションが起動されている。電話帳アプリ４１及びＷｅｂブラウザ４２は、ウインドウシステム４３により制御される。また、ウインドウシステム４３は、記憶部２２内のフラグ２２３を設定する。その他の構成は、図１に示す携帯情報端末１００と同様であるので、説明を省略する。
【００３２】
まず、図４を参照して、Ｗｅｂブラウザ４２が前面に出る場合について説明する。この場合、ウインドウシステム４３は、Ｗｅｂブラウザ４２にフォーカスし、キー入力が可能となる（手順４４）。この際、Ｗｅｂブラウザ４２はウインドウシステム４３へ入力状態を通知する。ここで、Ｗｅｂブラウザ４２は通常入力モードである。よって、ウインドウシステム４３には、Ｗｅｂブラウザ４２が通常入力モードであることが通知される（手順４５）。その後、ウインドウシステム４３は、記憶部２２内のフラグ２２３に、例えば暗証番号入力要求が無いことを示す値「０」を設定する（手順４６）。
【００３３】
次に、図５を参照して、電話帳アプリ４１が前面に出る場合について説明する。この場合、ウインドウシステム４３は、電話帳アプリ４１にフォーカスし、キー入力が可能となる（手順４７）。この際、電話帳アプリ４１はウインドウシステム４３へ入力状態を通知する。ここで、Ｗｅｂブラウザ４２は暗証番号入力モードである。よって、ウインドウシステム４３には、電話帳アプリ４１が暗証番号入力モードであることが通知される（手順４８）。その後、ウインドウシステム４３は、記憶部２２内のフラグ２２３に、例えば暗証番号入力要求が有ることを示す値「１」を設定する（手順４９）。
【００３４】
すなわち、本構成によれば、ウインドウシステム４３が、各ＧＵＩアプリケーションを一元的に管理している。よって、複数のＧＵＩアプリケーションが起動されている場合でも、フォーカスされているＧＵＩアプリケーションの入力状態を判別できる。これにより、暗証番号の入力要求の有無を適切に判別することができる。従って、本構成によれば、ＤＴＭＦ音を傍受されることによる暗証番号の漏洩を、確実に防止することができる。
【００３５】
実施の形態３
次に、実施の形態３にかかる携帯情報端末について説明する。実施の形態３では、実施の形態２において、Ｗｅｂブラウザが暗証番号の入力モードである場合について説明する。図６は、携帯情報端末１００におけるＷｅｂブラウザ４２ａの表示画面及び表示画面のソースであるＨＴＭＬファイルに含まれるＨＴＭＬタグの一部を表す図である。Ｗｅｂブラウザ４２ａは、例えば、銀行のオンラインバンキングの暗証番号入力画面などである。
【００３６】
Ｗｅｂブラウザ４２ａでは、その表示するコンテンツ内で暗証番号を入力する。Ｗｅｂブラウザの記述言語には、ＨＴＭＬが広く用いられる。ＨＴＭＬは、暗証番号入力フォーム用に入力した文字を、"＊"等の文字に置き換える機能を有する。Ｗｅｂブラウザ４２ａにおいてこの機能を用いるには、例えば「ｔｙｐｅ＝”ｐａｓｓｗｏｒｄ”」と記述される。すなわち、ＨＴＭＬの文字列からなる構文を、ウインドウシステム４３（図４）により解析することにより、暗証番号の入力要求の有無を判別することが可能である。
【００３７】
これにより、ウインドウシステム４３は、適宜フラグ２２３を設定することができる。従って、本構成によれば、内蔵されているＧＵＩアプリケーションのみならず、Ｗｅｂによる提供される様々なサービスにおいても、ＤＴＭＦ音を傍受されることによる暗証番号の漏洩を確実に防止することができる。
【００３８】
なお、本発明は上記実施の形態に限られたものではなく、趣旨を逸脱しない範囲で適宜変更することが可能である。例えば、第２のキー確認音テーブル２２２には、第１のＤＴＭＦ音とは異なる第２のＤＴＭＦ音を、予め設定しておくことが可能である。また、第２のキー確認音テーブル２２２は、第１のＤＴＭＦ音以外のＤＴＭＦ音からランダムに選択される第２のＤＴＭＦ音を、制御部２に取得させることも可能である。
【符号の説明】
【００３９】
１  キー入力部
２  制御部
３  音声出力部
２１  ＣＰＵ
２２  記憶部
２２１  第１のキー確認音テーブル
２２２  第２のキー確認音テーブル
２２３  フラグ
３１  トーン発生部
３２  スピーカ
４１  電話帳アプリ
４２、４２ａ  Ｗｅｂブラウザ
４３  ウインドウシステム
４４〜４９  手順
１００  携帯情報端末
Ｄ１、Ｄ２  信号
Ｐ１１〜Ｐ１５、Ｐ２４、Ｐ２５  手順
【図１】
2011234165.tif 000003
【図２】
2011234165.tif 000004
【図３】
2011234165.tif 000005
【図４】
2011234165.tif 000006
【図５】
2011234165.tif 000007
【図６】
2011234165.tif 000008